(57)【要約】【課題】  簡便に書籍の必要とする複製箇所を見開の部分を平面とし、写真撮影を支障なく行うことができる新規な書籍撮影装置の提供。【解決手段】  半開きに見開いた状態の書籍の撮影しようとする部分の表面に設けられている平面状の台座、半開きに見開いた状態の他の書籍の部分の表面に設けられている前記台座と交わる支え部、及び半開きに見開いた状態の書籍の撮影しようとする部分の表面にある台座の上方に設置されている写真撮影手段から構成され書籍撮影装置、及び半開きに見開いた状態にある書籍の撮影しようとしている部分が平面を形成している状態で載置されている台座、及び台座上の書籍の撮影しようとしている部分を照明する照明手段及び写真撮影手段が固定設置され、かつ台座を取り囲んでいる壁部から構成されるフードからなり書籍撮影装置。【選択図】  図２
2009134286.tif 000002
【特許請求の範囲】
【請求項１】
半開きに見開いた状態の書籍の撮影しようとする部分の表面に設けられている平面状の台座、半開きに見開いた状態の他の書籍の部分の表面に設けられている前記台座と交わる支え部、及び半開きに見開いた状態の書籍の撮影しようとする部分の表面にある台座の上方に設置されている写真撮影手段から構成されることを特徴とする書籍撮影装置。
【請求項２】
前記台座と前記支え部が８０度から９０度の角度で交わることを特徴とする請求項1記載の書籍撮影装置。
【請求項３】
半開きに見開いた状態にある書籍の撮影しようとしている部分が平面を形成している状態で載置されている台座、及び台座上の書籍の撮影しようとしている部分を照明する照明手段及び写真撮影手段が固定設置され、かつ台座を取り囲んでいる壁部から構成されるフードからなり、台座から続く支え部の上の半開きに見開いた状態にある書籍の部分が一部の壁部に外接しており、フードは台座の上に接触して構成されていることを特徴とする書籍撮影装置。
【請求項４】
前記台座を取り囲んでいる一部の壁部と台座の角度が８０度から９０度であり、前記一部の壁部が傾斜して設けられていることを特徴とする請求項３記載の書籍撮影装置。
【請求項５】
前記一部の壁部は、折り曲げ可能な柔軟な材料により構成されていることを特徴とする請求項3又は４記載の書籍撮影装置。
【請求項６】
前記半開きに見開いた状態にある書籍の撮影しようとしている部分が見開いた部分の書籍全体の部分を残して、台座上のその残余の部分が、フードの底部に設けられているフードの内側に向かって折り返す部分により覆われており、その残余の部分をフードにより押圧されていることにより、フードは台座上に固定されていることを特徴とする請求項３から５いずれか記載の書籍撮影装置。
【請求項７】
前記半開きに見開いた状態にある書籍の撮影しようとしている部分が見開いた部分の撮影箇所を残して、書籍の残余の部分が枠体により覆われており、枠体は半開きに見開いた状態にある書籍の撮影しようとしている部分の表面に置かれ、枠体は書籍の残余の部分を押圧することにより、書籍を固定していることを特徴とする請求項３から６いずれか記載の書籍撮影装置。
【請求項８】
半開きに見開いた状態にある書籍の撮影しようとしている部分が平面を形成している状態で載置されている台座、及び台座上の書籍の撮影しようとしている部分を照明する照明手段及び写真撮影手段が固定設置され、かつ台座を取り囲んでいる壁部から構成されるフードからなり、台座から続く支え部の上の他の半開きに見開いた状態にある書籍の部分が一部の壁部に外接しており、フードは書籍の上に接触して構成されていることを特徴とする書籍撮影装置。
【請求項９】
前記台座を取り囲んでいる一部の壁部と台座の角度が８０度から９０度であり、前記一部の壁部が傾斜して設けられていることを特徴とする請求項８記載の書籍撮影装置。
【請求項１０】
前記一部の壁部は、折り曲げ可能な柔軟な材料により構成されていることを特徴とする請求項８又は９記載の書籍撮影装置。
【請求項１１】
前記半開きに見開いた状態にある書籍の撮影しようとしている部分が見開いた部分を残して、書籍の残余の部分が、フードの底部に設けられているフードの内側に向かって折り返す部分により覆われており、書籍の残余の部分がフードにより押圧されることにより、フードは台座上に固定されていることを特徴とする請求項８から１０いずれか記載の書籍撮影装置。
【請求項１２】
前記半開きに見開いた状態にある書籍の撮影しようとしている部分が見開いた部分の撮影箇所を残して、書籍の残余の部分が枠体により覆われており、枠体はフード底部及び見開いた部分の間に挿入され、フード底部及び枠体は書籍の残余の部分を押圧することにより、書籍を固定していることを特徴とする請求項８から１１いずれか記載の書籍撮影装置。
【請求項１３】
前記書籍が半開きに見開いた状態であり、見開いた部分が丸みを帯びることなく平面を形成している状態で載置されている台座が、台座に設けられている書籍が半開きに見開いた状態の角度に固定するための手段を有していることを特徴とする請求項８から１２いずれか記載の書籍撮影装置。
【請求項１４】
前記台座上の見開いた部分を照明する照明手段がフードの内側に固定設置されていることを特徴とする請求項３から１３いずれか記載の書籍撮影装置。
【請求項１５】
前記台座上の見開いた部分を照明する照明手段及び写真撮影手段が一緒にフード頂部に固定設置されていることを特徴とする請求項３から１３いずれか記載の書籍撮影装置。
【請求項１６】
前記写真撮影手段がリモコン操作により遠隔操作されることを特徴とする請求項1３記載の書籍撮影装置。
【請求項１７】
書籍撮影装置内部の書籍の状態を検知するための検知手段がフード頂部に固定設置されていることを特徴とする請求項３から１６いずれか記載の書籍撮影装置。
【請求項１８】
書籍の状態を検知するための検知手段がミラーであることを特徴とする請求項1７記載の書籍撮影装置。
【請求項１９】
前記フードは壁部分が接合可能に形成できるもの、又は折り曲げ操作などにより組み立て可能に形成されていることを特徴とする請求項３から１８いずれか記載の書籍撮影装置。
【請求項２０】
前記フード及び台座は個別に形成されており、書籍撮影に際して両者を組み合わせて使用することを特徴とする請求項３から１９いずれか記載の書籍撮影装置。
【請求項２１】
前記一部のフードの端部が台座に回転可能に固定されており、書籍撮影に際して前記一部のフードの端部を回転させてフードを押し倒して、撮影しようとする書籍分を台座上に固定して、再びフードを回転させて、前記一部のフードの端部と台座を固定することを特徴とする請求項３から２０いずれか記載の書籍撮影装置。
【発明の詳細な説明】
【技術分野】
【０００１】
本発明は、簡易書籍撮影装置に関するものである。
【背景技術】
【０００２】
複写機の普及により、書籍や雑誌等（以下、単に書籍と言う）の必要とされている部分を簡便に複写することが行われる。撮影しようとしている、見開いた部分を複写機のガラス板上に載せて、書籍全体を押圧して見開いた部分がガラス板に接した状態として複写を行う。複写しようとする書籍の撮影箇所が、見開いた状態で、厚みが相違することがある。厚さが薄い部分には複写機の覆いの力はかけることができず、複写を上手にすることができないことが生ずる。そこで、図１１に示すように複写機１０のガラス表面１２上の見開いた書籍による厚みの薄い片側に雑誌等の調節手段１３を差込んで、調整し、その後、覆い１１により全体を押圧して複写を行う。このような手段を講じても見開いている部分全体を平面化することができず、全面を複写することは困難となる。
【０００３】
これらのことがあるので、複写する場合には、写真撮影が採用される。写真撮影を行うにしても、本を平面状に見開きの状態に保つことが困難とされる（図１０（ａ））。これを解決すべく、 ガラスや透明プラスチック等の透明板を書籍の表面を覆う（図１０（ｂ））。
又、透明板の外縁を保持する枠体と、該枠体内で前記透明板と共に原稿を挟む抑え板と、該抑え板を前記透明板方向へ弾発するばね等の押圧具とを有する写真撮影用原稿支持装置が考案されている（特許文献1実開平５−５５４１６号公報）。このような努力を行っても、見開きの部分について全面を平面状にして複写することは困難であり、本を押し広げることにより本が傷みやすく、また労力を必要とすることにかわりはない。
【０００４】
一般的な写真撮影装置としては、図１０の装置が用いられる。
写真撮影装置は、被写体を載置するための撮影台としてのステージ、このステージ上に載置された書籍を見開きの状態でおいて、照明光源としての左右一対の反射光照明手段４、台座１上に載置された被写体を撮影するための写真撮影手段（カメラ）３、台座を上下動させるための手段１６などを備えている（図１０（ａ））。
又、物品を中に置いて写真を撮影する組み立て式の装置がある（図１０（ｂ）特許文献２特開２００１−１７４８８５号公報、特許文献3特開２００２−２５８３６５号公報）。
いずれも書籍の複写に対する工夫がなされておらず、見開きの状態にある書籍など複製を撮影しようとすることでは、根本的な解決にはなっていない。
簡便に書籍の必要とする複製箇所を見開の部分を平面とし、写真撮影を支障なく行うことができることについての根本的な解決は行われておらず、手間をかけずに開いた状態として撮影する装置の開発が必要とされている。
【特許文献１】実開平５−５５４１６号公報
【特許文献２】特開２００１−１７４８８５号公報
【特許文献３】特開２００２−２５８３６５号公報
【発明の開示】
【発明が解決しようとする課題】
【０００５】
本発明が解決しようとする課題は、簡便に書籍の必要とする複製箇所を見開の部分を平面とし、写真撮影を支障なく行うことができる新規な書籍撮影装置を提供することである。
【課題を解決するための手段】
【０００６】
（イ）本発明者らは鋭意前記課題について研究した。
分厚い閉じた状態の書籍を、水平の状態として見開きの状態とすると、見開きとなる一方の部分は、水平の表紙の部分からから離れて、とじた部分から見開きの部分の中央に向かって丸みを帯びた状態で盛り上がる部分を形成する結果、平面を形成しないので、写真撮影に支障をきたすことがある（図７（ａ））。書籍の表面に透明板などを置いて平面状とする場合には綴じの部分については平面状とすることができず、綴じ部分を十分に開いて、平面の状態として撮影することができない（図７（ｂ））。また、このような取り扱いは本を著しく傷める結果となる。
（ロ）この状態を改善すべく、本発明者らは実験を積み重ね、以下の点を見いだして前記問題点を解決することができることを見いだした。
書籍が半開きに見開いた状態で、適切な角度にして見開きの状態にすると、写真を撮影しようとする部分の見開いた一方の部分が丸みを帯びることなく平面を形成することができる（図７（Ｃ）、図１）。
（ハ）最初に示す簡易書籍撮影装置は、後述する簡易書籍撮影装置の中の簡易書籍撮影装置として必要部分を取り出して構成した装置である（図１３）。
書籍撮影装置は、半開きに見開いた状態の書籍の撮影しようとする部分の表面に設けられている平面状の台座、半開きに見開いた状態の他の書籍の部分の表面に設けられている前記台座と交わる支え部、及び半開きに見開いた状態の書籍の撮影しようとする部分の表面にある台座の上方に設置されている写真撮影手段から構成する。台座と前記支え部が８０度から９０度の角度で交わることが書籍を撮影しようとする場合には有効である。
（ニ）フードと台座が接触して構成されている書籍撮影装置では以下の通りである（図1）。
（ａ）半開きに見開いた状態にある書籍の撮影しようとしている部分が平面を形成している状態で載置されている台座、及び台座上の書籍の撮影しようとしている部分を照明する照明手段及び写真撮影手段が固定設置され、かつ台座を取り囲んでいる壁部から構成されるフードからなり、台座から続く支え部の上の半開きに見開いた状態にある書籍の部分が一部の壁部に外接しており、フードは台座の上に接触して構成されている書籍撮影装置。
図2及び3の場合は以下の通りである。
（ｂ）半開きに見開いた状態にある書籍の撮影しようとしている部分が平面を形成している状態で載置されている台座、及び台座上の書籍の撮影しようとしている部分を照明する照明手段及び写真撮影手段が固定設置され、かつ台座を取り囲んでいる壁部から構成されるフードからなり、台座から続く支え部の上の他の半開きに見開いた状態にある書籍の部分が一部の壁部１７に外接しており、フードは書籍の上に接触して構成されている書籍撮影装置。
（ｃ）前記書籍が半開きに見開いた状態の台座と対峙する壁部と台座がなす角度が８０度から９０度に壁部が傾斜している場合に書籍５は平面に近い状態となり、使い勝手がよくなる。
（ｄ）前記書籍が半開きに見開いた状態の台座と対峙する壁部１７は、折り曲げ可能な柔軟な材料により形成されていると書籍の出し入れや書籍撮影装置の取り扱う上では便利である。
【発明の効果】
【０００７】
本発明によれば、必要とされている書籍の複製箇所を見開いた状態としたときに、格別の手間をかけずに開いた部分を平面化することができるので、従来写真撮影や複写機により複写する場合に必要とされていた複写しようとする部分を、書籍を押し広げることにより書籍を傷つけたりすることなく、複写することができる。
【発明を実施するための最良の形態】
【０００８】
本発明の書籍撮影装置について図面を用いて説明する。
最初に示す簡易書籍撮影装置は、後述する簡易書籍撮影装置の中の簡易書籍撮影装置として必要部分を取り出して構成したと言うことができる装置である（図１３）。
この書籍撮影装置は、半開きに見開いた状態の書籍の撮影しようとする部分２４の表面に設けられている平面状の台座２１、半開きに見開いた状態の他の書籍の部分の表面２５に設けられている前記台座と交わる支え部２２、及び半開きに見開いた状態の書籍の撮影しようとする部分２４の表面にある台座２１の上方に設置されている写真撮影手段３から構成されている。
台座２１と支え部２２の交わる部分２３は、一定の角度で交わる。台座及び壁部は一体として成形されている成形体である。撮影しようとする書籍の表面に置かれるので、透明度が高いプラスチックを用いる。透明度が高い樹脂であれば問題ない。アクリル樹脂などが用いられる。
台座及び支え部からなる成形体は下におかれる書籍を上から圧迫して押し広げ、半開きに見開いた状態の書籍の撮影しようとする部分２４及び半開きに見開いた状態の他の書籍の部分２５の各表面が平面状になるように作用している。
台座２１と前記支え部２２は８０度から９０度の角度で交わると、半開きに見開いた状態の書籍の撮影しようとする部分２４及び半開きに見開いた状態の他の書籍の部分２５を平面状に保つことが可能となり、書籍の撮影に支障がない。
後述の書籍撮影装置の場合と比較すると、この場合には台座及び支え部の下の部分に書籍が置かれることとなる。台座及び支え部の表面部分に書籍が置かれることもあり得るが、書籍を圧迫して押し広げることが十分にできないことが起こりえる。
【０００９】
図１は本発明の書籍撮影装置の状態を説明する図である。
本発明の書籍撮影装置は、半開きに見開いた状態にある書籍の撮影しようとしている部分５が平面を形成している状態で載置されている台座１、及び台座上の書籍の撮影しようとしている部分５を照明する照明手段及び写真撮影手段３が固定設置され、かつ台座を取り囲んでいる壁部から構成されるフード２からなり、台座から続く支え部の上の半開きに見開いた状態にある書籍の部分が一部の壁部１７に外接しており、フード２は台座１の上に接触して構成されている。
この場合、台座１及びフード２の形状が半開きに見開いた状態にある書籍の形状よりもフードの形状が大きい場合である。
【００１０】
図1の書籍撮影装置のフード２には、台座上の撮影しようとしている書籍の部分を照明する照明手段及び写真撮影手段３（この場合には写真撮影装置が両方を兼ねている。当然、頂部分の適当な位置に設置される。照明手段は後述するようにフード内に設置することもでき、この場合には写真撮影手段によるものを使用しなくてもよい。）が固定設置されている。
このフード２は、一部の壁部１７と他の壁部より構成されている。
一部の壁部１７は、半開きに見開いた状態の書籍の撮影しようとする部分５の下面にある平面状の台座１，及び半開きに見開いた状態の他の書籍の部分の下面に設けられている支え部２２の間に存在するフードを構成する一部の壁１７である。台座の出し入れなどの移動に対して、邪魔にならないようにするために、折り曲げ可能な柔軟な材料により形成されていることが必要となる。
台座上の書籍の撮影しようとしている部分を載置している台座１にはフード２の端部が直接接触している。
【００１１】
前記台座を取り囲んでいる一部の壁部１７と台座のなす角度は８０度から９０度であり、前記一部の壁部１７が平面（台座）に対して傾斜して設けられている。撮影しようとしている書籍の部分を平面に保つ場合には、前記角度とすることがよい。前記書籍が半開きに見開いた状態の台座と対峙する壁部と台座がなす角度が８０度から９０度に前記一部の壁部が傾斜している場合には台座上の書籍は平面の状態に維持できるので、好ましい（図８、図１２）。前記の構造とすることは、フードの端に対して一部の壁部がなす角度が、８０度から９０度に傾斜しているようにフードを形成することを意味する。
【００１２】
前記一部の壁部１７は、折り曲げ可能な柔軟な材料により構成されている。
半開きに見開いた状態の書籍の撮影しようとする部分５の下面にある平面状の台座１，及び半開きに見開いた状態の他の書籍の部分の下面に設けられている支え部２２の間にあるフードの一部の壁１７は、台座の移動に対して、邪魔にならないようにするために、折り曲げ可能な柔軟な材料により形成されていることが必要となる。
折り曲げ可能な柔軟な材料には、布製、不織布製、紙製又はプラスチック製などがある。台座の移動には、書籍が存在する部分がまくれあげることができ、書籍に厚みがある場合であっても、書籍とフードと台座の部分の間では前記材料が柔軟なために、隙間が生じない。その結果、良好な状態で撮影が可能となる。
【００１３】
前記半開きに見開いた状態にある書籍の撮影しようとしている部分が見開いた部分の書籍全体の部分を残して、台座上のその残余の部分が、フードの底部に設けられているフードの内側に向かって折り返す部分により覆われており、その残余の部分をフードにより押圧されていることにより、フードは台座上に固定される。
折り返し部分については図１には示されていない。後述する図２には、折り返し部分の説明されている。
【００１４】
前記半開きに見開いた状態にある書籍の撮影しようとしている部分が見開いた部分の撮影箇所を残して、書籍の残余の部分が枠体により覆われており、枠体は半開きに見開いた状態にある書籍の撮影しようとしている部分の表面に置かれ、枠体は書籍の残余の部分を押圧することにより、書籍を固定している。
枠体は半開きに見開いた状態にある書籍の撮影しようとしている部分が丸みを帯びることなく平面を形成している状態に保つうえで有効である。
枠体の大きさは、見開きの書籍の大きさであるＡ４、Ａ５、Ｂ４、Ｂ５、菊版などの大きさに応じて、同じ大きさに作製しておいて、必要に応じて適宜交換、選択して使用することが有効である。
【００１５】
図２及び３を用いて本発明の次の書籍撮影装置を説明する。
図２は後述するフードの端部を折り曲げて折り返す部分を有するものである。
図３は後述する枠体を用いるものである。
半開きに見開いた状態にある書籍の撮影しようとしている部分が平面を形成している状態で載置されている台座１、及び台座上の書籍の撮影しようとしている部分を照明する照明手段及び写真撮影手段が固定設置３され、かつ台座を取り囲んでいる壁部から構成されるフード２からなり、台座から続く支え部の上の他の半開きに見開いた状態にある書籍の部分が一部の壁部１７に外接しており、フードは書籍の上に接触して構成されている。
この場合、台座１及びフード２の形状が半開きに見開いた状態にある書籍の
形状よりもフードの形状が大きい場合である。
【００１６】
図２及び３の書籍撮影装置のフード２には、台座上の撮影しようとしている書籍の部分を照明する照明手段及び写真撮影手段３（この場合には写真撮影装置が両方を兼ねている。当然、頂部分の適当な位置に設置される。照明手段は後述するようにフード内に設置することもでき、この場合には写真撮影手段によるものを使用しなくてもよい。）が固定設置されている。
このフード２は、一部の壁部１７と他の壁部より構成されている。
一部の壁部１７は、半開きに見開いた状態の書籍の撮影しようとする部分５の下面にある平面状の台座１、及び半開きに見開いた状態の他の書籍の部分の下面に設けられている支え部２２の間に存在するフードを構成する一部の壁１７である。台座の出し入れなどの移動に対して、邪魔にならないようにするために、折り曲げ可能な柔軟な材料により形成されていることが必要となる。
台座上の書籍の撮影しようとしている部分を含む書籍にはフード２の端部が直接接触している。
【００１７】
前記台座を取り囲んでいる一部の壁部１７と台座のなす角度は８０度から９０度であり、前記一部の壁部が平面に対して傾斜して設けられている。撮影しようとしている書籍の部分を平面に保つ場合には、前記角度とすることがよい。前記書籍が半開きに見開いた状態の台座と対峙する壁部と台座がなす角度が８０度から９０度に前記一部の壁部が傾斜している場合には台座上の書籍は平面の状態に維持できるので、好ましい（図８、図１２）。前記の構造とすることは、フードの端に対して一部の壁部がなす角度が、８０度から９０度に傾斜しているようにフードを形成することを意味する。
【００１８】
前記一部の壁部１７は、折り曲げ可能な柔軟な材料により構成されている。
半開きに見開いた状態の書籍の撮影しようとする部分５の下面にある平面状の台座１，及び半開きに見開いた状態の他の書籍の部分の下面に設けられている支え部２２の間にあるフードの一部の壁１７は、台座の移動に対して、邪魔にならないようにするために、折り曲げ可能な柔軟な材料により形成されていることが必要となる。
折り曲げ可能な柔軟な材料には、布製、不織布製、紙製又はプラスチック製などがある。台座の移動には、書籍が存在する部分がまくれあげることができ、書籍に厚みがある場合であっても、書籍とフードと台座の部分の間では前記材料が柔軟なために、隙間が生じない。その結果、良好な状態で撮影が可能となる。
【００１９】
以下については、図２により説明する。
前記半開きに見開いた状態にある書籍の撮影しようとしている部分が見開いた部分を残して書籍の残余の部分が、フード２の底部に設けられているフードの内側に向かって折り返す部分７により覆われており、書籍の残余の部分がフード２により押圧されることにより、フードは書籍の残余の部分を固定している。
【００２０】
以下については、図３により説明する。
前記半開きに見開いた状態にある書籍の撮影しようとしている部分が見開いた部分の撮影箇所を残して、書籍の残余の部分が枠体８により覆われており、枠体８はフード底部及び見開いた撮影しようとする書籍を含む書籍の間に挿入され、フード底部及び枠体８は書籍の残余の部分を押圧することにより、書籍を固定している。
枠体は半開きに見開いた状態にある書籍の撮影しようとしている部分が丸みを帯びることなく平面を形成している状態に保つうえで有効である。
枠体の大きさは、見開きの書籍の大きさであるＡ４、Ａ５、Ｂ４、Ｂ５、菊版などの大きさに応じて、同じ大きさに作製しておいて、必要に応じて適宜交換、選択して使用することが有効である。
【００２１】
前記見開いた撮影しようとする書籍の部分が丸みを帯びることなく平面を形成している状態に保つ手段が、フード底部に設けられている部分であり、見開いた部分が撮影箇所を残して、その残余の部分をフード壁部の端部を内側に向かって折り返す部分として形成することにより、書籍の撮影しようとする部分を平面状にすることができる。
前記書籍が半開きに見開いた状態であり、見開いた部分が丸みを帯びることなく平面を形成している状態で載置されている台座１に、書籍の見開いた部分が丸みを帯びることなく半開きに見開いた状態の角度に固定するための手段を設置することができる（図４）。
前記したように前記書籍が半開きに見開いた状態であり、見開いた部分が丸みを帯びることなく平面を形成している状態に載置されている台座１が、台座に固定され、書籍が半開きに見開いた状態の角度で、書籍の見開き部分を平面状とすることができる特定の角度に固定するための手段（図４）を用いて、台座部分が特定の角度に固定することができ、一層確実に、書籍が半開きに見開いた状態であり、見開いた部分が丸みを帯びることなく平面を形成している状態に台座を保つことができる。
半円形部分は、中心がピン１４により台座１に固定されている。台座は回動可能に固定されている。適切な角度になった場合には固定する孔にねじを差し込んで台座を適切な角度に固定する。台座にはこれに対応して孔が設けられている。
９０°未満の角度で固定することは可能であるが、台座に照明をすることなどを考慮すると、適当でない。
【００２２】
図５は、本発明の書籍撮影装置を組立てる経過を示す図である。
書籍撮影装置の部材が袋などに収納されている状態から書籍撮影装置の部材を取り出して、書籍撮影装置として組立てた経過を示している。
装置全体は折りたたんで袋などに収納されている（左最上部）。収納されている組立部材を取り出して（右最上部）、以降は装置を組み立てる状態を示している。
フードはプラスチック板、木材板材、金属板材などを壁として通常の接合手段により組立や解体可能の状態に設定することもできるし、段ボール製で折り曲げや組み立て可能な状態として用いることができる。必要に応じて組み立てて使用することができる。
本発明の装置の書籍撮影装置では、照明手段（具体的には特定の波長のライトを出す照明器具）及び写真撮影手段（具体的には、映像を撮影するカメラ）をフードに接して固定することが必要となるが、両者の設置場所をフード頂部に固定設置することができる（図５）。照明手段には写真撮影手段のフラッシュと兼用して用いることもできる。
【００２３】
図６は本発明の書籍撮影装置を組み立てた状態で、書籍撮影装置の内側に設けられている照明手段、及び写真撮影手段がフード頂部に固定設置されていること示す図である。
中央に示されているには書籍撮影装置を組み立てた状態の外観を示す。
前記見開いた部分を照明する照明手段をフード壁部内側に固定設置することを説明する図（右下の図）、及び照明手段のLEDを固定することを示す図（左下の図）である。写真撮影手段がフード頂部に固定設置することもできる（左上の図）。
写真撮影手段の近辺に通常写真撮影に用いられるランプを固定設置することもできる。照明手段に用いる光源は適宜選択使用する。
【００２４】
フードの内側は光を反射することができる材料でコートすることが有効である。
前記したように、フードの書籍が半開きに見開いた状態の側と対峙するフードの壁部（図１の（１７））で述べたように、壁部を折り曲げ可能な柔軟な材料により形成することもできる。布製で、書籍と接触する部分がまくれあがることができ、書籍の厚みを考慮しても、書籍とフードの部分の間に隙間が生じないので、良好な状態で撮影が可能となる。
【００２５】
図８は前記書籍撮影装置の改良された図を示す。
この書籍撮影装置では、半開きに見開いた状態の書籍の部分が丸みを帯びることなく平面を形成している状態で載置されている台座と書籍が半開きに見開いた状態の側と対峙する壁部が折り曲げ可能な柔軟な材料により形成されているフードにより、撮影しようとする書籍を半開きの状態とする。前記の書籍撮影装置では折り曲げ可能な柔軟な材料により形成されているフードと平面がなす角度が直角又は直角以上の角度を想定して記載されている。その理由は本を見開きにする場合は１８０°程度とすることが一般に行われており、見開きにして読もうというときにはできるだけ平面に近い状態とすることを考えている。しかしながら、その状態では、時として書籍の中央部が盛り上がってしまうので、できるだけ閉じた状態とする方が書籍の中央部が盛り上がりを防止できるということが観察される。この角度が鋭角にすることは本を見開きにするうえから、書籍は閉じられている状態となり適当でないと考えられていた。本発明者らは敢えて鋭角の常態とすることを具体的な状態とともに検討してみた。
前記折り曲げ可能な柔軟な材料により形成されているフードと平面がなす角度が８０度から９０度であるようにフードを傾斜して形成する（角度については、白抜きで表示している）。その結果、書籍の盛り上がりを防止してでき、直角に近いことから、書籍の見開きについても支障がなく、書籍の撮影が可能であることを見出した。
また、この角度を採用することは前記の装置においても有効であること、及び適用できることは自明である。
【００２６】
図９左側は、図８に示された状態の書籍撮影装置の改良された装置を用いて書籍５が半開きに見開いた状態の側と一部の壁部１７により固定されて状態を示す図である。図８で説明したように前記折り曲げ可能な柔軟な材料により形成されている一部の壁部１７と台座がなす角度が８０度から９０度であるようにフードを傾斜している状態で、書籍5を写真撮影装置に固定した状態を示している。
図９右側は、前記一部のフードの端部が台座に回転可能に固定されており（２０）、書籍撮影に際して前記一部のフードの端部を回転させてフードを押し倒している状態を示している。この状態では撮影しようとする書籍は閉じられたままであり、次は撮影しようとする該当部分を開いて、撮影しようとする書籍分を台座上に固定して、再びフードを回転させて、前記一部のフードの端部と台座を固定すると図９左側の図に示す状態となる。見開いた部分の撮影箇所を残して、その残余の部分を覆う枠体８が示されており、書籍の該当箇所を開いた後に書籍の撮影しようとする部分は押さえつつけられて平面状に固定される。前記したようにフードの端部が内側に向かって折り曲げている部分７を設けることにより、見開いた部分の撮影箇所を残して、その残余の部分を覆う枠体８を用いないようにすることができる。
図9右側は、前記一部のフードの端部が台座に回転可能に固定されており（２０）、書籍撮影に際して前記一部のフードの端部を回転させてフードを押し倒した状態を示しているが、書籍の該当箇所を開いて、撮影しようとする書籍分を台座上に固定して、再びフードを回転させて、前記一部のフードの端部と台座を固定することができる。撮影終了後は再び、書籍撮影に際して前記一部のフードの端部を回転させてフードを押し倒した状態とすることができる。
前記書籍撮影に際して前記一部のフードの端部を回転させてフードを押し倒すこと、再びフードを回転させて、前記一部のフードの端部と台座を固定することがリモコン操作で行うことができる（図示せず）。
【図面の簡単な説明】
【００２７】
【図１】本発明のフードが、台座と接触して構成されている書籍撮影装置を示す図
【図２】本発明の台座上の書籍が接触して構成されている書籍撮影装置を示す図
【図３】本発明の台座上の書籍と接触して構成されている書籍撮影装置を示す図
【図４】台座に設けられている書籍が半開きに見開いた状態の角度に固定する手段を示す図
【図５】本発明の書籍撮影装置を組立てる経過を示している図
【図６】本発明の書籍撮影装置を組み立てた状態で、書籍撮影装置の内側に設けられている照明手段、及び写真撮影手段がフード頂部に固定設置されていること示す図
【図７】見開いた状態で綴じの部分が平面にならないこと（ａ）、透明な板を押さえつけて写真撮影を行なうこと（ｂ）、書籍が特定の角度で台座に固定されていると書籍部分が平面を形成すること（ｃ）を示す説明する図
【図８】折り曲げ可能な柔軟な材料により形成されているフードと平面がなす角度が８４°から８６°であることを示す図
【図９】図９左側は、書籍が半開きに見開いた状態の側と対峙する壁部により固定されて状態を示す図  図９右側は、前記一部のフードの端部が台座に回転可能に固定されており、書籍撮影に際して前記一部のフードの端部を回転させてフードを押し倒している状態を示している。
【図１０】従来の写真撮影を行なう装置を示す図
【図１１】複写機による複写を示す図
【図１２】折り曲げ可能な柔軟な材料により形成されているフードと平面がなす角度が８４°から８６°であることを示す図
【図１３】台座及び支え部に載置する書籍の撮影しようとする部分を撮影するために書籍撮影装置
【符号の説明】
【００２８】
１：台座  
２：一部の壁部及び壁部からなるフード
３：写真撮影手段
４：照明手段
５：書籍
６：照明手段の固定手段
７：フード壁部の端部が内側に向かって折り曲げている部分
８：見開いた部分の撮影箇所を残して、その残余の部分を覆う枠体
９：台座の角度を固定する手段
１０：複写機本体
１１：カバー
１２：ガラス
１３：雑誌などの調節手段
１４：固定するピン
１５：固定する孔
１６：台座を上下する手段
１７：一部の壁部
１８：書籍の検知手段（ミラー）
１９：フードの一部の壁部と平面がなす角度（８０度から９０度）
２０：一部のフードの端部が台座に回転可能に固定され部分
２１：半開きに見開いた状態の撮影しようとしている書籍の表面に設けられている平面状の台座
２２：台座に対峙する、もう一方の半開きに見開いた状態の書籍の表面に設けられている支え部
２３：台座と支え部が交わる部分（角度：８０度から９０度）
【図１】
2009134286.tif 000003
【図２】
2009134286.tif 000004
【図３】
2009134286.tif 000005
【図４】
2009134286.tif 000006
【図５】
2009134286.tif 000007
【図６】
2009134286.tif 000008
【図７】
2009134286.tif 000009
【図８】
2009134286.tif 000010
【図９】
2009134286.tif 000011
【図１０】
2009134286.tif 000012
【図１１】
2009134286.tif 000013
【図１２】
2009134286.tif 000014
【図１３】
2009134286.tif 000015